(57)【要約】【課題】工事手順を簡素化し工事期間の短縮を図る建屋配管貫通部の建設方法を得ることにある。【解決手段】建屋の壁１に貫通孔２を形成し、この貫通孔２の一方に第１の遮へい材開止金具３を取り付け、この貫通孔２の他方にはブーツ固定金具４を取付け、この第１の遮へい材開止金具３を取り付けた後に前記貫通孔２に配管５を設置し、その後に遮へい材６を充填し、遮へい材６を充填した後に、前記ブーツ固定金具４に第２の遮へい材閉止金具７およびブーツラバー８を取付けたことを特徴とする。【選択図】図１
2015068487.tif 000002
【特許請求の範囲】
【請求項１】
建屋の壁に貫通孔を形成し、
この貫通孔の一方に第１の遮へい材開止金具を取り付け、この貫通孔の他方にはブーツ固定金具を取付け、
この第１の遮へい材開止金具を取り付けた後に前記貫通孔に配管を設置し、その後に遮へい材を充填し、
遮へい材を充填した後に、前記ブーツ固定金具に第２の遮へい材閉止金具およびブーツラバーを取付けたことを特徴とする建屋配管貫通部の建設方法。
【請求項２】
前記建屋は原子力発電所の原子炉建屋であることを特徴とする請求項１記載の建屋配管貫通部の建設方法。
【請求項３】
建屋の壁に形成された貫通孔に設置された配管と、この配管と前記貫通孔の間に充填された遮へい材と、前記貫通孔に隣接された前記建屋の壁の一方の面に設置された第１の遮へい材開止金具と、前記貫通孔に隣接された前記建屋の壁の他方の面に設置されたブーツ固定金具および第２の遮へい材閉止金具と、前記ブーツ固定金具に取り付けられたブーツラバーとから成ることを特徴とする建屋配管貫通部。
【請求項４】
請求項３記載の建屋配管貫通部を備えたことを特徴とする原子炉建屋。
【発明の詳細な説明】
【技術分野】
【０００１】
本発明は、建屋内の壁を貫通して配置される配管の貫通部の建設方法および建屋配管貫通部の構造、原子炉建屋に関する。
【背景技術】
【０００２】
従来、原子力発電所等の建屋内の配管改造工事等においては壁及び床部に配管を貫通させる場合、ボーリング工事が行われ、このボーリング工事の後に配管が設置される。
【０００３】
以下、図２、図３を参照して建屋配管貫通部およびその貫通部の建設方法の従来例について説明する。
【０００４】
まず、図２（ａ）に示すように壁９に貫通孔１０をボーリング等によって形成する。
【０００５】
この貫通孔９を形成した後、（ｂ）に示すように貫通孔１０にスリーブ１１が設置され、このスリーブ１１はスリーブ控え１２により固定される。
【０００６】
このスリーブ１１が固定された後、（ｃ）に示すように貫通孔１０の両開口部に型枠１３が設置され型枠１３とスリーブ１１に囲まれた空間にモルタル充填孔１４からモルタル１５が導入され、モルタル１５が乾いた後に（ｄ）に示されるように型枠１３が取り外される。
【０００７】
その後に配管１６が設置され貫通孔１０の一方の開口にリング状の遮へい材閉止金具１７が配置される。
【０００８】
遮へい材閉止金具１７が配置された後に、図３（ａ）に示されるようにスリーブ１１の閉止されていない他方にリング状の遮へい材閉止金具１９が配置され、スリーブ１１内に遮へい材１８が充填される。その後、壁９から突出されているスリーブ１１にブーツラバー２０が設置される。
【０００９】
この従来の配管の貫通部の建設方法において、ボーリング工事後の貫通孔復旧工事ではスリーブの設定、モルタル充填用の型枠の設置、モルタル充填など作業手順が複雑で工事期聞が長期化している。また、モルタル充填工事の汚れによる建屋内環境の悪化が課題となり、原子力発電所においては、放射性物質の汚染拡大リスクが発生する可能性がある。
【先行技術文献】
【特許文献】
【００１０】
【特許文献１】特開平１０−１６０８８１号公報
【発明の概要】
【発明が解決しようとする課題】
【００１１】
上述した建屋内で行われる改造工事においては、多種多様な工事が狭いエリアで同時期に行われるケースが多く、工事錯綜の回避のためシリーズ作業となり、工事期間の長期化が懸案となっている。また、原子力発電所においては、放射性物質の汚染拡大リスクの低減の為、建屋内の環境を良好に保つ必要があり、モルタル充填作業等の建屋内の汚れに直結する作業は極力排除する必要があった。
【００１２】
本発明は、上述した課題を解決するためになされたもので、建屋内配管工事用ボーリング後の復旧方法を従来工法より改善することで、工事手順を簡素化し工事期間の短縮を図り、且つ建屋内環境の向上及び原子力発電所に適用する場合においては、放射性物質の汚染拡大リスクの低減させることを目的とする。
【課題を解決するための手段】
【００１３】
上記の目的を達成するために本発明は、建屋の壁に貫通孔を形成し、この貫通孔の一方に第１の遮へい材開止金具を取り付け、この貫通孔の他方にはブーツ固定金具を取付け、この第１の遮へい材開止金具を取り付けた後に前記貫通孔に配管を設置し、その後に遮へい材を充填し、遮へい材を充填した後に、前記ブーツ固定金具に第２の遮へい材閉止金具およびブーツラバーを取付けたことを特徴とする建屋配管貫通部の建設方法を提供する。
【００１４】
さらに本発明は、建屋の壁に形成された貫通孔に設置された配管と、この配管と前記貫通孔の間に充填された遮へい材と、前記貫通孔に隣接された前記建屋の壁の一方の面に設置された第１の遮へい材開止金具と、前記貫通孔に隣接された前記建屋の壁の他方の面に設置されたブーツ固定金具および第２の遮へい材閉止金具と、前記ブーツ固定金具に取り付けられたブーツラバーとから成ることを特徴とする建屋配管貫通部を提供する。
【００１５】
また、本発明は上記建屋配管貫通部を備えたことを特徴とする原子炉建屋を提供する。
【発明の効果】
【００１６】
本発明によれば、工事手順を簡素化し工事期間の短縮を図り、且つ建屋内環境の向上及び原子力発電所に適用する場合においては、放射性物質の汚染拡大リスクの低減させることができる。
【図面の簡単な説明】
【００１７】
【図１】（ａ）から（ｄ）は各々本発明に係る建屋配管貫通部およびその貫通部の建設方法の各工程を示す断面図。
【図２】（ａ）から（ｅ）は各々建屋配管貫通部およびその貫通部の建設方法の従来例の工程を示す断面図。
【図３】（ａ）から（ｂ）は各々建屋配管貫通部およびその貫通部の建設方法の従来例の工程を示す断面図。
【発明を実施するための形態】
【００１８】
以下、本発明に係る建屋配管貫通部およびその貫通部の建設方法の実施例について、図１を参照して説明する。
【００１９】
（実施例１) 
図１を参照して本発明の実施例１に係る建屋配管貫通部およびその貫通部の建設方法を原子炉建屋の壁部の施工を例にして説明する。
【００２０】
図１（ａ）において壁１に貫通孔２をボーリング等によって形成する。
【００２１】
この貫通孔２を形成した後、（ｂ）に示すように貫通孔２の一方に中央に配管が貫通する孔３ａが形成されている遮へい材開止金具３を取り付け、またこの貫通孔２の他方にはブーツ固定金具４を取付ける。
【００２２】
第１の遮へい材開止金具３、ブーツ固定金具４を取付けた後に（ｃ）に示すように貫通孔２に配管５を設置し、その後に遮へい材６を充填する。
【００２３】
その後に、（ｄ）においてブーツ固定金具４に第２の遮へい材閉止金具７を取付け、さらにブーツ固定金具４にブーツラバー８を取付け作業完了となる。
【００２４】
このように、建屋配管貫通部およびその貫通部の建設方法により従来と比較してスリーブ控え１２、型枠１３、モルタル１５の充填工事手順を省略でき簡素化することが出来る。
【００２５】
以上から明らかなように本発明は、図１に示すように、建屋内配管工事用ボーリング後の復旧方法により、図２，３に示すスリーブ１１の設定、型枠１３の設置、モルタル充填孔１４の設置、モルタル１５の充填作業及び所定の養生期間を省略でき、工事期間を短縮することができる。また、放射線管理区域内での作業においては、放射性物質の汚染拡大リスクの低減を図ることが出来る。
【符号の説明】
【００２６】
１、９・・・壁、 ２、１０・・・貫通孔、３・・・第１の遮へい材閉止金具、４・・・ブーツ固定金具、５、１６・・・配管、６、１８・・・遮へい材、７・・・第２の遮へい材閉止金具、８、２０・・・ブーツラバー、1 1 ・・・スリーブ、１２ ・・・ スリーブ控え、１３・・・型枠、１４・・・モルタノレ充填孔、１５ ・・・モノレタル、１７、１９・・・遮へい材閉止金具。
【図１】
2015068487.tif 000003
【図２】
2015068487.tif 000004
【図３】
2015068487.tif 000005